(57)【特許請求の範囲】
【請求項１】
シャフト取り付け部を有するパターヘッドであって、
ゴルフボールを捉える打面が曲面になるように円柱状を呈しており、かつ、打面を構成する曲面の曲率半径が、ゴルフボールの半径よりも小さくなるように構成されることを特徴とするパターヘッド。
【請求項２】
前記シャフト取り付け部が、シャフトに対して着脱自在に構成されたことを特徴とする請求項１に記載のパターヘッド。
【請求項３】
前記パターヘッドは磁性を持つ金属製であって、パターヘッドに重量を調整するためのアタッチメントを、磁力により着脱自在となるように構成されたことを特徴とする請求項１または２に記載のパターヘッド。
【発明の詳細な説明】
【技術分野】
【０００１】
本発明は、主に練習用としてゴルフボールをパッティングする際に用いる、パターヘッドに関する。
【背景技術】
【０００２】
従来、パターのフェース面（打面）のスイートスポットに目印をつけたり、突起部を設けたりするパッティング用の練習具がある。
【０００３】
ところが、上述の練習具は、パターのフェース面（打面）の構成が煩雑化する傾向がある。微妙で繊細な感覚が必要なパッティングの練習具としては十分とはいえなかった。
【０００４】
そこで、従来技術の中には、パターフェース中央部に半球状のヒットポイントを設けつつ、この半球状のヒットポイントがパターのフェース面と同一平面上に位置するように構成したものがあった。
【先行技術文献】
【特許文献】
【０００５】
【特許文献１】特開２０１２−１１５６２７号公報
【発明の概要】
【発明が解決しようとする課題】
【０００６】
しかしながら、上述の従来技術では、プレイヤの視線がパターのフェース面側に向かってしまい易く、ボールの打撃点に自然に向かうようにならない可能性が高い。また、スイートスポットを大きく外した場合でもボールがまっすぐに転がってしまうため、スイートスポットを捉えたか否かについて判断を誤ることがある。
【０００７】
本発明の目的は、プレイヤが正しい視線で、パターのスイートスポットでボールを捉えることに集中することが可能であり、プレイヤがゴルフボールをスイートスポットに捉える技術の向上が可能なパターヘッドを提供することである。
【課題を解決するための手段】
【０００８】
パターは、パターヘッド、シャフト、およびグリップで構成される。パターヘッドは、シャフト取り付け部と、ゴルフボールを捉えるフェース面を少なくとも有する。
【０００９】
ゴルフボールを捉えるフェース面は、例えば曲面になるように平面視の形状が円形または円弧状である、柱状をしている。さらに、スイートスポットは、フェース面を構成する曲面上に存在する。
【００１０】
パターヘッドが平面視上で円形または円弧状の形状をすることで、打撃フォームに入ったプレイヤが視覚によって自然とスイートスポットを特定しやすく、プレイヤの視線がパターのフェース面に向かい易くなる。
【００１１】
また、スイートスポットが曲面上にあり、それ以外の打点では、ボールがプレイヤの意図する打撃方向に転がらないため、スイートスポットに捉えたことの判定が容易になり、プレイヤのパッティング技術が向上する。
【００１２】
さらに、フェース面を構成する曲面の曲率半径が、ゴルフボールの半径よりも小さくなるように構成されることが好ましい。
【００１３】
フェース面の曲率半径がゴルフボール半径よりも小さくなる構成は、スイートスポットにゴルフボールを捉えたことの判定をより容易にさせる。
【００１４】
これらの構成に加え、シャフト取り付け部が、シャフトに対して着脱自在に構成されたことを特徴とすることがより好ましい。シャフトの取り付け方法は、例えばねじ式を採用する。シャフトの脱着が可能になると、パターヘッドの持ち運びや他のヘッドへの交換が容易になる。
【００１５】
パターヘッドは、磁性を持つ金属製にしたうえで、磁力によって着脱自在なアタッチメントを利用し、パターヘッドの重量を調整するに構成することも可能である。
【００１６】
パターヘッドは円形または円弧状をしているため、同形状のアタッチメントを積み重ねることで、重心等のバランスを極力崩すことなく重量の調整が可能となる。また、磁性を持つ金属製パターは、アタッチメントを磁力による着脱とすることにより、着脱が容易となり、重量調整に要する時間を短縮できる。
【発明の効果】
【００１７】
この発明によれば、プレイヤが正しい視線で、パターのスイートスポットでボールを捉えることに集中することが可能であり、プレイヤがゴルフボールをスイートスポットに捉える技術の向上が可能なパターヘッドを提供できる。
【図面の簡単な説明】
【００１８】
【図１】本発明の一実施形態に係るパターヘッドの一例を示した図である。
【図２】本発明の一実施形態に係るパターヘッドがゴルフボールを捉える一例を示した図である。
【図３】本発明の一実施形態に係るパターヘッドの形状の他の一例を示した図である。
【図４】本発明の一実施形態に係るパターヘッドのアタッチメントの一例を示した図である。
【発明を実施するための形態】
【００１９】
ここから、図面を用いて本発明の一実施形態について説明する。パター１０は、図１（Ａ）に示すとおり、パターヘッド１３、シャフト１２およびグリップ１１を少なくとも有する。
【００２０】
これらの構成のうちパターヘッド１３は、シャフト１２と結合させて、パッティングを主に練習するために用いられる。このパターヘッド１３は、例えば鉄製であり、カーボン製のシャフト１２と接着剤で結合している。パターヘッド１３は、例えば直径約４ｃｍの円柱状をしており、平面視における直径はゴルフボール１４の直径と同等である。
【００２１】
パターによるパッティングは、短い距離を正確に打撃することが求められ、微妙で繊細な感覚を要する。このため、このパターヘッド１３の重さは、プレイ用のパターと同様に３００ｇ前後であり、通常のパターと同様に打撃練習を行うことができる。
【００２２】
パターヘッド１３は、図１（Ｂ）に示すとおり、例えば、シャフト１２と結合させる部分をくり抜いた構造である。このシャフト取り付け部１６は、例えばライ角が７０度になるように構成される。なお、パターヘッド１３はシャフト１２を固定することができれば空洞等でもよく、内部の構造は上記の内容に限定されない。
【００２３】
図２（Ａ）に示すとおり、ゴルフボール１４を捉えるフェース面は、曲面となるように構成される。パターヘッド１３は円柱状をしている。
【００２４】
この曲面形状を有することで、ゴルフボール１４を捉える点が平面視上１点となる。この曲面上の点のうち、スイートスポット１８は、パターヘッド１３の重心をフェース上に投影した一点のことをいう。重心からフェース面に対して引いた垂線とフェース面との交点がスイートスポット１８となる。
【００２５】
スイートスポット１８は、パターの運動エネルギーを最も効率的に伝えられる点である。それゆえ、スイートスポット１８はゴルフボール１４を矢印２２で示す打撃方向に動かす力を効率よく伝えることができる。
【００２６】
スイートスポット１８は、平面視上１点に限定される。打撃後のゴルフボール１４が、プレイヤの意図した打撃方向２２に転んだか否かを観察することによって、ゴルフボール１４がパターヘッド１３のスイートスポット１８を捉えたか否かを即断することができる。
【００２７】
プレイヤがスイートスポット１８を捉えたか否かの即断が可能であるために、プレイヤは直ちに打撃改良の手段を講じることができる。例えば、パターの打撃方向や操作仕草といった繊細な技術内容に、早くかつ正確に改良を加えることが可能であって、プレイヤの短時間での技術向上が可能である。
【００２８】
さらに、プレイヤが矢印２２で示された意図した打撃方向に、ゴルフボール１４を動かすことができたかを判断するため、すなわちスイートスポット１８に捉えたかどうかを判断するため、プレイヤはこのゴルフボール１４の動きを、ごく限られた距離であっても観察することができる。そうすると、プレイヤが、スイートスポット１８に捉えたか否かを判断するために、必要とされる距離はごくわずかであるため、狭い場所でも十分に練習することができる。そのため、最小のスペースで練習を行うことができる。
【００２９】
上述のゴルフボール１４を捉えたか否かの判断をするために、目標となる穴や練習用マットといった特別な装備や設備がなくともよい。プレイヤは少なくともゴルフボール１４と、パター１０だけで練習することが可能となる。これらの装備や設備がない結果、プレイヤは穴にボールが入ること等に満足感を得ることができない。プレイヤは、ゴルフボール１４をスイートスポット１８に捉えることのみに集中することになり、効率よく練習することができる。
【００３０】
また、パターヘッド１３が平面視上円形の形状をすることで、打撃フォームに入ったプレイヤが自然とスイートスポット１８を特定しやすくなる。なお、曲面形状は、平面視上円形状のものでも円弧状のものでも構わない。
【００３１】
具体的には、図２（Ａ）に示すとおり、パターヘッド１３は、プレイヤの視点では、平面視上の円のように見える。プレイヤが、矢印２２で示された方向に向かってパターヘッド１３を動作させようとするときに、プレイヤの視線は、パターヘッド１３の天井部のうち、力の作用する方向に最も突き出しているスイートスポット１８に注がれる。平面視上、円形に見えることによって、プレイヤは自然とスイートスポット１８を注視することになる。このプレイヤの行動は、パターヘッド１３が円弧状であっても変わらない。
【００３２】
このように、プレイヤはスイートスポット１８の位置を容易に判断することができ、プレイヤは正しい視線で打撃を行うことができる。
【００３３】
スイートスポット１８に該当する部分を視覚的に強調することにより、上述の円形形状に加えて、スイートスポット１８の把握を容易にさせる。図２（Ａ）に示すとおり、パターヘッド１３の天井部には、線状の目印２４が刻まれている。この強調をすることによって、プレイヤはスイートスポット１８の位置をより把握しやすくなる。視覚的に強調する方法は、上記の方法に限られず、色彩、図形等で表示されたものでもよく、プレイヤが打撃する時の視覚によってスイートスポット１８を把握することができるものであれば構わない。
【００３４】
パターヘッド１３を別の角度から見ると、図２（Ｂ）に示すとおり、スイートスポット１８は鉛直方向に幅がある状態となっている。図示では円柱状をしている。この形状を採ることで、通常のパターと同程度の重量を持たせることを可能にしつつ、フェース面が狭いために生産コストを抑えることができる。図３（Ａ）または（Ｂ）に例示の形状であっても、図示の手前方向に曲面状のフェース面を有し、スイートスポットを含んでいるため、これらの形状であっても構わない。
【００３５】
より好ましくは、フェース面と対向する面が対称となるのがよい。図２（Ｂ）や図３（Ａ）のような形状であれば、フェース面と対向する面が対称であるため、プレイヤが右利きであったとしても、左利きであったとしても同一のパターヘッドを用いることができる。
【００３６】
フェース面を構成する曲面の曲率半径が、ゴルフボール１４の半径よりも小さくなるように構成されることがより好ましい。この構成は、スイートスポット１８にゴルフボール１４を捉えたか否かの判定をより容易にさせる。
【００３７】
パターヘッド１３の曲率半径がゴルフボール１４の半径よりも小さく、曲面状のフェース面にスイートスポット１８が存在すれば、プレイヤはゴルフボール１４を捉えたか否かの判定をすることができるため、当該フェース面以外の形状および特徴は問わない。
【００３８】
フェース面の曲率半径がゴルフボール１４の半径より小さくなればなるほど、更なる効果を発揮する。プレイヤは、ゴルフボール１４より小さなパターヘッド１３を視覚的に認識する。この大小差ゆえに、プレイヤが打撃に集中しなければ、ゴルフボール１４に当てにくくなる。そのため、プレイヤの集中力を高めて、プレイヤの技術を向上させることができる。
【００３９】
さらに、パターヘッド１３内のシャフト取り付け部１６が、シャフト１２に対して着脱自在に構成されたことを特徴とすることがより好ましい。例えば、シャフト取り付け部１６がらせん状の溝を有し、シャフト１２の先端をねじ状の構造とすることにより、プレイヤによるシャフト１２の着脱を容易にする。自宅等の限られた収納スペースを有効に活用でき、持ち運びが容易であるほか、同一シャフト１２を別のクラブヘッドやパターヘッドに取り付け可能である。なお、シャフト１２の着脱を容易にする方法であれば、上記の方法に限られない。
【００４０】
上記までの構成に加えて、パターヘッド１３が磁性を持つ金属製であって、パターヘッド１３に重量を調整するためのアタッチメント２０を磁力により着脱自在となるように構成することがより好ましい。
【００４１】
図４に示すとおり、例えば、円柱の天井部または底部に積み重ねる方法によって、アタッチメント２０を装着する。天井部または底部は平坦であるから、アタッチメント２０の積層は容易である。さらにこの方法はフェース面以外に装着するため、フェース面の打撃影響を考慮することなく着脱が可能である。
【００４２】
アタッチメント２０は磁力により着脱可能なものである。そのため、着脱の際に生じるような引っ張り応力に弱い。もっとも、磁力はせん断応力に対して強い耐性があるため、パッティング時にパターヘッド１３を動作させても、パターヘッド１３に接着したアタッチメント２０は非常に分離しにくい。そのため、アタッチメント２０を磁力によって着脱可能な構成をとっても、打撃に支障をきたさない。
【００４３】
また、装着するアタッチメント２０は、平面視した際の形状と同一であるものが望ましい。同形状のアタッチメント２０を装着することにより、パターヘッド１３の重量バランスを崩しにくくなり、プレイヤの微妙で繊細な感覚に適合させることができる。なお、アタッチメントの形状は、上記の形状に限定されない。
【００４４】
上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【符号の説明】
【００４５】
１０−パター
１１−グリップ
１２−シャフト
１３−パターヘッド
１４−ゴルフボール
１６−シャフト取り付け部
１８−スイートスポット
２０−アタッチメント
２４−線状の目印
【要約】
【課題】本発明の目的は、プレイヤが正しい視線でパターのスイートスポットでボールを捉えることに集中することが可能であり、プレイヤがゴルフボールをスイートスポットに捉える技術の向上が可能なパターヘッドを提供することパターヘッドを提供することである。
【解決手段】パター１０はグリップ１１、シャフト１２、パターヘッド１３から構成される。パターヘッド１３は、シャフト取り付け部１６と曲面状のフェース面（打面）を少なくとも有する。ゴルフボール１４を捉える打面は、平面視の形状が円形または円弧状である柱状であり、かつ、打面を構成する曲面上にスイートスポット１８が位置するように構成されている。
【選択図】図１【図１】
0006973763.tif 000002
【図２】
0006973763.tif 000003
【図３】
0006973763.tif 000004
【図４】
0006973763.tif 000005